(57)【特許請求の範囲】
【請求項１】
紙葉類の識別を行う紙葉類識別装置であって、
前記紙葉類の被検出領域において通常印刷の上になされた凹版印刷により生じる凹凸を検出する検出する感圧センサと、前記感圧センサに前記紙葉類を押し付ける押付部材と、前記感圧センサにより検出されたデータを予め決められた閾値に基づいて二値化する二値化回路とを有してなる検出手段と、
前記検出手段による検出結果から特徴情報を抽出する特徴情報抽出部と、前記特徴情報抽出部により抽出された特徴情報と、予め入力された前記紙葉類の識別情報とを照合して、該紙葉類を識別する識別部とを有してなる識別手段と
を備え、
前記特徴情報抽出部は、前記二値化されたデータにおける分岐点または終点を特徴点として特徴情報を抽出することを特徴とする紙葉類識別装置。
【請求項２】
前記識別部は、前記紙葉類の真贋を識別することを特徴とする請求項１に記載の紙葉類識別装置。
【発明の詳細な説明】
【技術分野】
【０００１】
本発明は、紙葉類識別装置に関し、より詳細には、凹版印刷が施された紙葉類の識別を行う紙葉類識別装置に関する。
【背景技術】
【０００２】
従来、例えば紙幣等の紙葉類を識別する紙葉類識別装置として、紙葉類の被認識パターンである模様パターンを画像入力し、入力された画像データの各画素に対して重み付け画素からなる複数のマスクを用いて演算することにより画像データの各画素から濃度勾配方向成分および濃度勾配強度成分でなる画素成分を抽出し、抽出された濃度勾配方向ごとの濃度勾配強度の総和を特徴量として抽出し、抽出された模様パターンの特徴量と、予め記憶してある標準パターンの特徴量とを比較照合することにより模様パターンがどの標準パターンであるかを識別するものが知られている（例えば、特許文献１参照）。
【０００３】
【特許文献１】特許第２９８５８９３号公報
【発明の開示】
【発明が解決しようとする課題】
【０００４】
しかしながら、上記紙葉類識別装置は、紙葉類に印刷されている模様パターンについて標準パターンとの照合を行うことにより該紙葉類の識別を行っているため、近年の高精度カラーコピー等により容易に偽造された模様パターンについては、有効に識別することができない。
【０００５】
ところで、例えば紙幣等の偽造防止技術として、凹版印刷が施された紙葉類が知られている。凹版印刷は、凹版を用いて印刷を行う技術であり、該凹版印刷が施された個所は、表面にインクが凸状に付着して凸部が形成される。一方、通常印刷は、例えばオフセット印刷等のようなものであり、該通常印刷が施された個所に凸部が形成されることはない。そのような凹板印刷に基づいて紙葉類の識別を行う技術が求められている。
【０００６】
本発明は、上記実情に鑑みて、紙葉類に施された凹版印刷に基づいて識別を行うことにより、偽造された紙葉類に対して有効に識別することができる紙葉類識別装置を提供することを目的とする。
【課題を解決するための手段】
【０００７】
上記目的を解決するために、本発明の請求項１に係る紙葉類識別装置は、紙葉類の識別を行う紙葉類識別装置であって、前記紙葉類の被検出領域において通常印刷の上になされた凹版印刷により生じる凹凸を検出する検出する感圧センサと、前記感圧センサに前記紙葉類を押し付ける押付部材と、前記感圧センサにより検出されたデータを予め決められた閾値に基づいて二値化する二値化回路とを有してなる検出手段と、前記検出手段による検出結果から特徴情報を抽出する特徴情報抽出部と、前記特徴情報抽出部により抽出された特徴情報と、予め入力された前記紙葉類の識別情報とを照合して、該紙葉類を識別する識別部とを有してなる識別手段とを備え、前記特徴情報抽出部は、前記二値化されたデータにおける分岐点または終点を特徴点として特徴情報を抽出することを特徴とする。
【００１３】
また、本発明の請求項２に係る紙葉類識別装置は、上述した請求項１において、前記識別部は、前記紙葉類の真贋を識別することを特徴とする。
【発明の効果】
【００１４】
本発明の紙葉類識別装置によれば、検出手段が紙葉類の被検出領域における凹凸を検出し、識別手段が検出手段による検出結果と、予め入力された紙葉類の識別情報とを照合して紙葉類を識別するので、紙葉類に施された凹版印刷に基づいて識別を行うことにより、高精度カラーコピー等により容易に偽造された紙葉類に対して有効に識別することができるという効果を奏する。
【発明を実施するための最良の形態】
【００１５】
以下に添付図面を参照して、本発明に係る紙葉類識別装置の好適な実施の形態について詳細に説明する。
【００１６】
図１は、本発明の実施の形態における紙葉類識別装置を模式的に示したものである。この図１における紙葉類識別装置１０は、図示しない搬送手段により搬送路Ｒをその延在方向（図１中のＹ方向）に沿って搬送される紙葉類Ｗの真贋を識別するものであり、紙葉類識別装置１０は、感圧センサ１１と、押付ローラ（押付部材）１２と、二値化回路１３と、記憶部１４と、制御部１５と、出力部１６とを備えて構成してある。
【００１７】
ここに、本実施の形態における紙葉類識別装置１０の識別対象となる紙葉類Ｗは、図２に示すように、凹版印刷が施された紙幣、より詳細には、通常印刷による模様Ｗ１の上に凹版印刷が施された紙幣である。このように通常印刷の模様の上に凹版印刷が施されることにより、通常印刷による模様Ｗ１と、凹版印刷による模様Ｗ２とが重なっている部位（以下、データ取得領域とも称する）Ｅが存在することになる。
【００１８】
感圧センサ１１は、例えば静電容量型のセンサ等であり、紙葉類Ｗの凹凸を検出し、検出したデータ（検出データ）を検出信号として出力するものである。この感圧センサ１１は、搬送路Ｒを搬送される紙葉類Ｗの表面を臨む態様で配設してある。より詳細に説明すると、この感圧センサ１１は、図３に示すように、搬送路Ｒを搬送される紙葉類Ｗのデータ取得領域Ｅに接触することが可能な位置に位置決めされて配設してある。従って、図３中の符号Ｌは、紙葉類Ｗが搬送される結果、感圧センサ１１により検出される被検出領域となる検出ラインである。
【００１９】
押付ローラ１２は、搬送路Ｒにおいて感圧センサ１１の配設個所の対向側となる個所に配設してある。この押付ローラ１２は、搬送路Ｒを搬送される紙葉類Ｗを感圧センサ１１に向けて押し付けるものである。
【００２０】
二値化回路１３は、感圧センサ１１から出力された検出データを、予め決められた閾値に基づいて二値化し、二値化したデータ（二値化データ）を二値化信号として出力するものである。
【００２１】
記憶部１４は、制御部１５による各種処理に必要なデータやプログラムを格納する格納手段（記憶手段）であり、特に、紙葉類Ｗの識別情報を格納している。この識別情報は、各種紙葉類Ｗの特徴情報であり、図は異なるが、例えば図６に示すようなものである。
【００２２】
制御部１５は、パターン化処理部１５１と、特徴情報抽出部１５２と、識別部１５３とを有してなるものである。
【００２３】
パターン化処理部１５１は、二値化回路１３から出力された二値化データをパターン化処理するものである。このようにパターン化処理することにより、図４に示すような、紙葉類Ｗの凹版印刷による模様Ｗ２、すなわちデータ取得領域Ｅにおける凹版印刷による模様Ｗ２と同一のパターンを出力することができる。すなわち、凹版印刷により形成された凸部の模様Ｗ２と、印刷されていない部分および通常印刷による模様Ｗ１とに切り分けられる。
【００２４】
特徴情報抽出部１５２は、パターン化処理部１５１によりパターン化処理されたデータから特徴情報を抽出するものである。より詳細には、図５に示すように、特徴情報抽出部１５２は、パターン化処理されたデータにおいて終点Ｐ１または分岐点Ｐ２を特徴点として特徴情報を抽出するものである。このように特徴情報抽出部１５２で抽出された特徴情報は、図６に示すように現される。
【００２５】
識別部１５３は、特徴情報抽出部１５２により抽出された特徴情報と、記憶部１４に格納してある識別情報との照合を行って、紙葉類Ｗを識別、すなわち紙葉類Ｗの真贋を識別し、識別信号を出力するものである。ここに、識別信号としては、紙葉類Ｗが真券であるとする旨のものと、紙葉類Ｗが偽物であるとする旨のものとがある。
【００２６】
出力部１６は、例えばプリンタや報知器等の各種出力機器から構成されるものであり、制御部１５からの識別信号に基づき、紙葉類Ｗの真偽を出力するものである。
【００２７】
以上のような構成を有する紙葉類識別装置１０は、搬送路Ｒにおいて、搬送ローラや搬送ベルト等の搬送手段により搬送される紙葉類Ｗの真贋を次のようにして識別する。
【００２８】
押付ローラ１２が、搬送手段により搬送される紙葉類Ｗを感圧センサ１１に向けて押し付けることにより、感圧センサ１１は、紙葉類Ｗの検出ラインＬに接した状態で相対的に移動し、データ取得領域Ｅにおける凹凸を検出して、検出データを検出信号として二値化回路１３に出力する。
【００２９】
感圧センサ１１から検出信号を出力された二値化回路１３は、該検出信号に含まれる検出データを、予め決められた閾値に基づいて二値化し、二値化データを二値化信号として制御部１５に出力する。
【００３０】
図７は、図１に示した紙葉類識別装置の制御部の処理内容を示したフローチャートである。この図７を用いて、制御部１５の処理内容について説明する。
【００３１】
制御部１５は、二値化回路１３から出力された二値化信号を入力したか否かを判断し（ステップＳ１０１）、二値化信号を入力した場合には、パターン化処理部１５１を通じて、二値化回路１３から出力された二値化データをパターン化処理する（ステップＳ１０２）。このようにパターン化処理することにより、図４に示したような、紙葉類Ｗの凹版印刷による模様Ｗ２、すなわちデータ取得領域Ｅにおける凹版印刷による模様Ｗ２と同一のパターンを出力することができる。すなわち、凹版印刷により形成された凸部の模様Ｗ２と、印刷されていない部分および通常印刷による模様Ｗ１とに切り分けることができる。
【００３２】
パターン化処理部１５１を通じてパターン化処理を行った制御部１５は、特徴情報抽出部１５２を通じて、パターン化処理部１５１によりパターン化処理されたデータから特徴情報を抽出する（ステップＳ１０３）。より詳細には、図５に示すように、特徴情報抽出部１５２は、パターン化処理されたデータにおいて終点Ｐ１または分岐点Ｐ２を特徴点として特徴情報を抽出する。このように特徴情報抽出部１５２で抽出された特徴情報は、図６に示したようなものになる。
【００３３】
特徴情報抽出部１５２を通じて特徴情報を抽出した制御部１５は、記憶部１４から識別情報を読み込み（ステップＳ１０４）、該識別情報を読み込んだ後に識別部１５３を通じて、特徴情報抽出部１５２により抽出された特徴情報と、記憶部１４から読み込んだ識別情報との照合を行って、紙葉類Ｗの真贋を識別する（ステップＳ１０５）。そして、制御部１５は、識別部１５３を通じて、紙葉類Ｗが真券であるとする識別信号、あるいは紙葉類Ｗが偽物であるとする識別信号を出力部１６に出力して（ステップＳ１０６）、制御部１５での処理を終了する。
【００３４】
制御部１５（識別部１５３）から識別信号を出力された出力部１６は、識別結果、すなわち搬送された紙葉類Ｗは真券であるか、偽物であるかについての結果を出力して、今回の処理を終了する。
【００３５】
ここで、比較のため、搬送される紙葉類Ｗが偽物のである場合、具体的には、凹版印刷が施されたものではなく、コピーにより偽造された紙葉類（以下、コピー偽造券ともいう）、並びにスキャナー取り込んだ画像データをもとにインクジェットプリンタを用いて偽造された紙葉類（以下、プリント偽造券ともいう）である場合について説明する。
【００３６】
搬送された紙葉類がコピー偽造券の場合、表面に凹版印刷による凸部が形成されていないため、感圧センサ１１では凹凸を検出することができず、二値化回路１３を通じて二値化されたデータがパターン化処理部１５１でパターン化処理されても、図８に示すように、データ取得領域Ｅ１が全面黒色になってしまう。そのため、特徴情報抽出部１５２を通じて特徴情報を取得できず、結果的に、識別部１５３を通じて偽物であることを識別して、出力部１６を通じてその旨を出力することになる。
【００３７】
一方、搬送された紙葉類がプリント偽造券の場合、凹版印刷による模様Ｗ２と、通常印刷による模様Ｗ１とがともに凸部に形成されてしまう。そのため、感圧センサ１１で検出して二値化回路１３で二値化し、さらにパターン化処理部１５１を通じてパターン化処理したものは、図９に示すように、データ取得領域Ｅ２における凹版印刷による模様Ｗ２と、通常印刷による模様Ｗ１とのパターンを出力することになる。そうすると、特徴情報抽出部１５２を通じて終点Ｐ１や分岐点Ｐ２を特徴点として抽出した特徴情報は、図１０に示したようなものになる。かかる特徴情報と、記憶部１４から読み込んだ識別情報とを照合する結果、特徴点がすべて一致せず、識別部１５３を通じて偽物であることを識別して、出力部１６を通じてその旨を出力することになる。
【００３８】
以上説明したように、本実施の形態における紙葉類識別装置１０によれば、感圧センサ１１で紙葉類Ｗの凹凸を検出し、二値化回路１３で予め決められた閾値に基づいて感圧センサ１１の検出結果を二値化し、制御部１５において、二値化したものをパターン化処理し、パターン化処理したデータから特徴情報を抽出し、さらに抽出した特徴情報と記憶部１４に格納してある識別情報とを照合して紙葉類Ｗの真贋を識別するので、紙葉類Ｗに施された凹版印刷に基づいて識別を行うことにより、高精度カラーコピー等により容易に偽造された紙葉類Ｗに対して有効に識別することができる。特に、紙葉類Ｗの凹凸を検出して行うので、通常印刷による模様Ｗ１の上に凹版印刷が施された模様を対象にして紙葉類Ｗの真贋を識別することができ、高精度な識別が可能になる。
【産業上の利用可能性】
【００３９】
本発明に係る紙葉類識別装置は、凹版印刷が施された紙葉類の識別を行うのに有用である。
【図面の簡単な説明】
【００４０】
【図１】本発明の実施の形態における紙葉類識別装置を模式的に示した模式図である。
【図２】図１に示した紙葉類識別装置の識別対象となる紙葉類を示した説明図である。
【図３】図１に示した紙葉類識別装置の識別対象となる紙葉類を示した説明図である。
【図４】図１に示したパターン化処理部を通じてパターン化処理されたものを示した説明図である。
【図５】図１に示したパターン化処理部を通じてパターン化処理されたものを示した説明図である。
【図６】図１に示した特徴情報抽出部を通じて抽出された特徴情報の一例を示した説明図である。
【図７】図１に示した紙葉類識別装置の制御部の処理内容を示したフローチャートである。
【図８】パターン化処理部を通じてパターン化処理されたものの比較例を示した説明図である。
【図９】パターン化処理部を通じてパターン化処理されたものの比較例を示した説明図である。
【図１０】特徴情報抽出部を通じて抽出された特徴情報の比較例を示した説明図である。
【符号の説明】
【００４１】
１０      紙葉類識別装置
１１      感圧センサ
１２      押付ローラ
１３      二値化回路
１４      記憶部
１５      制御部
１５１    パターン化処理部
１５２    特徴情報抽出部
１５３    識別部
１６      出力部
Ｒ        搬送路
Ｗ        紙葉類
【図１】
0004650290.tif 000002
【図２】
0004650290.tif 000003
【図３】
0004650290.tif 000004
【図４】
0004650290.tif 000005
【図５】
0004650290.tif 000006
【図６】
0004650290.tif 000007
【図７】
0004650290.tif 000008
【図８】
0004650290.tif 000009
【図９】
0004650290.tif 000010
【図１０】
0004650290.tif 000011